(57)【要約】      （修正有）【課題】除湿運転時に室内機ファンの風量制御を行い、冷風感の低減を図るようにした空気調和機の分岐ユニット装置を提供することで、冷風感のない無気流感覚の除湿制御を行うために必要な接続配管の結露防止のための断熱処理を施工できない箇所等において、冷風感防止のための制御を有する室内機の、冷風感のない無気流感覚の除湿制御を行う。【解決手段】冷風感のない無気流感覚の除湿制御を行うための可変風量の送風用ファンモータとその駆動回路を有する室内機１と、少なくとも１台以上の室内機と室外機２を制御する分岐制御部３と、前記冷風感のない無気流感覚の除湿制御の有無の切り替えを行う切り替えスイッチ４を備えた空気調和機の分岐ユニット装置で、分岐ユニット装置の切り替えスイッチにより全室内機の冷風感のない無気流感覚の除湿制御の有無の切り替えを行う。【選択図】図１
2007155254.tif 000002
【特許請求の範囲】
【請求項１】
可変風量の送風用ファンモータとその駆動回路を有する室内機と、少なくとも１台以上の室内機と室外機を制御する分岐制御部と、前記室内機の冷風感のない無気流感覚の除湿制御の有無の切り替えを行う切り替えスイッチを備えたことを特徴とする空気調和機の分岐ユニット装置。
【請求項２】
切り替えスイッチを、室内機１台に対し１つ備えたことを特徴とする請求項１記載の空気調和機の分岐ユニット装置。
【請求項３】
可変風量の送風用ファンモータとその駆動回路を有する室内機と、少なくとも１台以上の室内機と室外機を制御する分岐制御部と、前記冷風感のない無気流感覚の除湿制御において、室内機１台毎に前記冷風感のない無気流感覚の除湿制御の有無の切り替えと、冷風感のない無気流感覚の除湿制御のための室内機風量を調整することができる多接点スイッチを備えたことを特徴とする空気調和機の分岐ユニット装置。
【発明の詳細な説明】
【技術分野】
【０００１】
本発明は、空気調和機の室内ファンの制御に関し、さらに詳しくは、除湿運転時に室内機風量制御を行い、冷風感の低減を図るようにした空気調和機の分岐ユニット装置に関するものである。
【背景技術】
【０００２】
従来、この種の空気調和機は除湿運転時の冷風感防止のため、室内負荷により室内送風機の風量を変更させることで、お客様の設定温度に応じて除湿量を確保しつつ、ローコストに、低騒音で冷風感のない無気流感覚の除湿制御をしているものが知られている（例えば、特許文献１参照）。
【特許文献１】特開２００２−１４７８２２号公報
【発明の開示】
【発明が解決しようとする課題】
【０００３】
しかしながら、前記従来の空気調和機では、冷風感のない無気流感覚の除湿制御を行うために空気調和機の接続配管を結露防止として断熱処理施工する必要があるため、この除湿制御に必要となる接続配管の断熱処理を施工できない箇所等において、室内機のこの除湿制御の有無の切り替えを行わなくてはいけないという課題を有していた。
【０００４】
本発明は、前記従来の課題を解決するもので、冷風感のない無気流感覚の除湿制御の有無の切り替えを行うことを可能とした空気調和機の分岐ユニット装置を提供することを目的とする。
【課題を解決するための手段】
【０００５】
前記従来の課題を解決するために、本発明の空気調和機の分岐ユニット装置は、冷風感のない無気流感覚の除湿制御の有無の切り替えを行う切り替えスイッチを備えたものである。
【０００６】
これによって、冷風感のない無気流感覚の除湿制御に必要となる接続配管の断熱処理を施工できない箇所等において、全室内機のこの除湿制御の有無の切り替えを、分岐ユニット装置上で行えることとなる。
【発明の効果】
【０００７】
本発明の空気調和機の分岐ユニット装置は、冷風感のない無気流感覚の除湿制御の有無の切り替えをスイッチにより行うことで、この除湿制御に必要となる接続配管の断熱処理を施工できない箇所等において、全室内機のこの除湿制御の有無の切り替えを行うことができる。
【発明を実施するための最良の形態】
【０００８】
第１の発明は、可変風量の送風用ファンモータとその駆動回路を有する室内機と、少なくとも１台以上の室内機と室外機を制御する分岐制御部と、冷風感のない無気流感覚の除湿制御の有無の切り替えを行う切り替えスイッチを備えた分岐ユニット装置とすることにより、前記室内機の除湿制御の有無の切り替えを分岐ユニット装置で行えることとなり、この除湿制御に必要となる接続配管の断熱処理を施工できない箇所等において、全室内機のこの除湿制御の有無の切り替えを、分岐ユニット装置で設定することができる。
【０００９】
第２の発明は、第１の発明の前記冷風感のない無気流感覚の除湿制御の有無の切り替え
を行う切り替えスイッチを室内機１台に対し１つのスイッチを備えた分岐ユニット装置とすることにより、室内機１台毎に冷風感のない無気流感覚の除湿制御の有無の切り替えを、分岐ユニット装置で設定することができる。
【００１０】
第３の発明は、室内機１台毎に冷風感のない無気流感覚の除湿制御の有無の切り替えと、この除湿制御のための室内機風量を変更できる多接点スイッチを備えた分岐ユニット装置とすることにより、室内機１台毎に前記冷風感のない無気流感覚の除湿制御の有無の切り替えと、この除湿制御のための室内機風量の調整を分岐ユニット装置で設定することができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における空気調和機の制御系統を示したブロック図を示すものである。通信回路１は分岐制御装置との通信を行う回路であり、また室内機風量を制御するファンモータ３とそれを制御するファンモータ駆動回路２であり、マイクロコンピュータ４と有機的に関連して室内制御装置を構成している。
【００１３】
また、通信回路５は室内制御装置との通信を行う回路であり、通信回路６は室外制御装置との通信を行う回路であり、スイッチ７は室内機の風量を抑える制御の有無の切り替えを行う切り替えスイッチであり、マイクロコンピュータ８と有機的に関連して分岐ユニット装置を構成している。
【００１４】
図２は、本発明の制御方法を示すフローチャートである。まず室内機が運転開始をした際に、スイッチ７の状態を調べ（S１）、スイッチ７の状態が冷風感のない無気流感覚の除湿制御を有と設定している場合、室内機の風量を抑える制御が有効となり（S２）、室内機が運転状態の時に、室内機の風量を抑える制御の開始条件を判定し（S３）、開始条件が成立した場合（S４）、室内負荷により室内機の風量を抑える制御を行う（S５）。
【００１５】
また、スイッチ７の状態が冷風感のない無気流感覚の除湿制御を無と設定している場合、室内負荷により冷風感のない無気流感覚の除湿制御が無効となり（S１）、室内機が運転状態の時に、冷風感のない無気流感覚の除湿制御を行わない（S２）。
【００１６】
以上のように、本実施の形態においては、分岐ユニット装置に冷風感のない無気流感覚の除湿制御の有無を切り替えるスイッチを備えることにより、この除湿制御に必要となる接続配管の断熱処理を施工できない箇所等において、全室内機のこの除湿制御の有無の切り替えを、分岐ユニット装置で行えることができる。
【産業上の利用可能性】
【００１７】
以上のように、本発明にかかる空気調和機の分岐ユニット装置は、冷風感のない無気流感覚の除湿制御を有する全ての室内機の、この除湿制御の有無の切り替えを行うことが可能となるので、何らかの理由で冷風感のない無気流感覚の除湿制御を無効にしたい場合において有益である。
【図面の簡単な説明】
【００１８】
【図１】本発明の実施の形態１における空気調和機の制御系統を示したブロック図
【図２】本発明の実施の形態１における空気調和機のフローチャート
【符号の説明】
【００１９】
１  通信回路（分岐ユニット制御装置との通信用）
２  ファンモータ駆動回路
３  ファンモータ
４  マイクロコンピュータ（室内制御装置）
５  通信回路（室内制御装置との通信用）
６  通信回路（室外制御装置との通信用）
７  スイッチ
８  マイクロコンピュータ（分岐ユニット制御装置）
【図１】
2007155254.tif 000003
【図２】
2007155254.tif 000004